(57)【要約】【課題】本発明は、スマート変電所の保護制御システムに基づくデータ伝送方法に関する。【解決手段】前記スマート変電所におけるすべてのベイのマージングユニット・インテリジェント端末一体化ユニットがそれぞれスマート電力サーバのＦＰＧＡアクセスチップの対応した伝送ポートに接続され、前記方法は、受信周期内に、リアルタイムタスク用中央プロセッサが受信バッファからメッセージを読み取り、メッセージを処理して受信バッファに書き込むことと、送信周期内に、リアルタイムタスク用中央プロセッサが指示情報をＦＰＧＡアクセスチップに送信し、前記チップが指示情報に基づきメッセージを生成して送信バッファエリアに書き込むことと、を含む。上記技術的解決手段によれば、メッセージのリアルタイム送受信を確保し、メッセージ処理効率を高め、変電所のデータ伝送効率を高め、スマート変電所のデータ伝送に高性能、高信頼性、高リアルタイム性及び高安全性を有する解決手段を提供する。【選択図】図２
2018057251.tif 000002
【特許請求の範囲】
【請求項１】
変電所におけるすべてのベイのマージングユニット・インテリジェント端末一体化ユニットがいずれもスマート電力サーバに直接接続され、各前記マージングユニット・インテリジェント端末一体化ユニットがいずれも組み込み式高帯域幅交換通信ネットワークを介して、前記スマート変電所のすべての測定制御機能、保護機能、交換機能及び遠隔操作機能を実現するための前記スマート電力サーバのフィールドプログラマブルゲートアレイ（ＦＰＧＡ）アクセスチップの１つのみの伝送ポートに、１対１対応するように接続され、
前記スマート電力サーバのリアルタイムタスク用中央プロセッサの受信周期内に、前記リアルタイムタスク用中央プロセッサが、前記ＦＰＧＡアクセスチップの各受信バッファから、各前記マージングユニット・インテリジェント端末一体化ユニットから送信されたサンプル値（ＳＶ）メッセージ又は汎用オブジェクト指向変電所イベント（ＧＯＯＳＥ）メッセージを読み取り、前記ＳＶメッセージ又はＧＯＯＳＥメッセージが、前記ＦＰＧＡアクセスチップによって、前記受信バッファに１対１対応する各前記伝送ポートから受信され且つＳＶ処理又はＧＯＯＳＥ処理されてから、受信バッファエリアの対応する受信バッファに書き込まれることと、
前記リアルタイムタスク用中央プロセッサの送信周期内に、前記リアルタイムタスク用中央プロセッサが、測定制御過程及び／又は保護過程で生じた指示情報を前記ＦＰＧＡアクセスチップに送信し、前記ＦＰＧＡアクセスチップが前記指示情報に基づきＧＯＯＳＥメッセージを生成して前記ＦＰＧＡアクセスチップの送信バッファエリアに書き込むことと、を含む、
ことを特徴とするスマート変電所の保護制御システムに基づくデータ伝送方法。
【請求項２】
前記リアルタイムタスク用中央プロセッサが、前記ＦＰＧＡアクセスチップの各受信バッファから、各前記マージングユニット・インテリジェント端末一体化ユニットから送信されたＳＶメッセージ又はＧＯＯＳＥメッセージを読み取ることは、
前記リアルタイムタスク用中央プロセッサが各前記受信バッファの総メッセージ数の降順で、各前記受信バッファからメッセージを読み取ることを含み、
前記受信周期内に、前記ＦＰＧＡアクセスチップが前記リアルタイムタスク用中央プロセッサに各前記受信バッファの総メッセージ数を報告する、
ことを特徴とする請求項１に記載のデータ伝送方法。
【請求項３】
前記リアルタイムタスク用中央プロセッサが、前記ＦＰＧＡアクセスチップの各受信バッファから、各前記マージングユニット・インテリジェント端末一体化ユニットから送信されたＳＶメッセージ又はＧＯＯＳＥメッセージを読み取ることは、
前記リアルタイムタスク用中央プロセッサが前記ＦＰＧＡアクセスチップから送信された通知メッセージを受信すると、現在のタスクを中断して、第一所定閾値を超えた受信バッファからＧＯＯＳＥメッセージを読み取ることをさらに含み、
前記通知メッセージは、前記ＦＰＧＡアクセスチップによって、前記受信バッファに書き込まれたＧＯＯＳＥメッセージ数が前記第一所定閾値を超えたことが検出されるときに送信され、前記受信バッファにおけるＧＯＯＳＥメッセージ数が前記第一所定閾値を超えたことを通知するために用いられる、
ことを特徴とする請求項２に記載のデータ伝送方法。
【請求項４】
前記リアルタイムタスク用中央プロセッサがＧＯＯＳＥメッセージを読み取ることによって前記受信バッファにおけるＧＯＯＳＥメッセージ数を第一所定閾値より低くさせると、中断された前記現在のタスクが再開され、又は、
前記リアルタイムタスク用中央プロセッサがＧＯＯＳＥメッセージを読み取ることによって前記受信バッファにおけるＧＯＯＳＥメッセージ数を前記第一所定閾値より低い第二所定閾値より低くさせると、中断された前記現在のタスクが再開される、
ことを特徴とする請求項３に記載のデータ伝送方法。
【請求項５】
前記ＦＰＧＡアクセスチップの送信バッファエリアは、前記伝送ポートに１対１対応する複数の送信バッファを含み、
前記ＦＰＧＡアクセスチップが前記指示情報に基づきＧＯＯＳＥメッセージを生成して前記ＦＰＧＡアクセスチップの送信バッファエリアに書き込むことは、
前記ＦＰＧＡアクセスチップが前記指示情報に基づきＧＯＯＳＥメッセージを生成し、前記ＧＯＯＳＥメッセージの宛先メディアアクセス制御（ＭＡＣ）アドレスに基づき、対応した前記送信バッファに書き込むことを含む、
ことを特徴とする請求項１に記載のデータ伝送方法。
【請求項６】
前記リアルタイムタスク用中央プロセッサの受信周期長さは、送信周期長さより大きい、ことを特徴とする請求項１に記載のデータ伝送方法。
【請求項７】
非リアルタイムタスク用中央プロセッサは、リアルタイムタスク用中央プロセッサが測定制御過程及び／又は保護過程で生じたレポート情報を収集し、前記レポート情報中の前記マージングユニット・インテリジェント端末一体化ユニットのＭＡＣアドレスを前記マージングユニット・インテリジェント端末一体化ユニットのネットワークプロトコル（ＩＰ）アドレスに変換し、前記スマート電力サーバのスイッチモジュールにより前記レポート情報をステーションレベル装置に送信することを含む、
ことを特徴とする請求項１に記載のデータ伝送方法。
【請求項８】
前記非リアルタイムタスク用中央プロセッサが前記スマート電力サーバのスイッチモジュールにより前記ステーションレベル装置から送信された遠隔制御指令を受信することと、
前記非リアルタイムタスク用中央プロセッサが前記遠隔制御指令を処理して変換した後、前記ＦＰＧＡアクセスチップにより前記マージングユニット・インテリジェント端末一体化ユニットに送信することと、をさらに含む、
ことを特徴とする請求項１に記載のデータ伝送方法。
【請求項９】
前記ＦＰＧＡアクセスチップは、各前記マージングユニット・インテリジェント端末一体化ユニットから受信したＳＶ値メッセージ又はＧＯＯＳＥメッセージを前記スマート電力サーバのスイッチモジュールによりネットワークアナライザに転送することをさらに含む、
ことを特徴とする請求項１に記載のデータ伝送方法。
【請求項１０】
前記ＦＰＧＡアクセスチップは、各前記マージングユニット・インテリジェント端末一体化ユニットから受信したＳＶ値メッセージ又はＧＯＯＳＥメッセージを前記スマート電力サーバのスイッチモジュールにより事故記録装置に転送することをさらに含む、
ことを特徴とする請求項７、８又は９に記載のデータ伝送方法。
【発明の詳細な説明】
【技術分野】
【０００１】
本発明の実施例は、スマート変電所の技術分野に関し、特にスマート変電所の保護制御システムに基づくデータ伝送方法に関する。
【背景技術】
【０００２】
スマート変電所は、変電所の一次装置、二次装置をスマート化対象とし、高速ネットワーク通信プラットフォームに基づき、スマート情報を標準化することにより、情報共有と相互操作を実現し、ネットワークデータに基づき、測定監視、制御保護、情報管理等の自動化を実現する変電所である。
【０００３】
スマート変電所は、ステーションレベル、ベイレベル及びプロセスレベルを備え、レベル同士が主にケーブルを介して効果的に接続される。各レベルは、それぞれ異なるシステム、機器及び装置を備え、お互いに作用し合い、連動する。ベイレベルは、主に測定制御装置及び保護装置等の二次装置を備え、マージングユニット・インテリジェント端末一体化ユニットから送信されたサンプル値（Ｓａｍｐｌｅｄ  Ｖａｌｕｅ、ＳＶ）メッセージ又は汎用オブジェクト指向変電所イベント（Ｇｅｎｅｒｉｃ  Ｏｂｊｅｃｔ  Ｏｒｉｅｎｔｅｄ  Ｓｕｂｓｔａｔｉｏｎ  Ｅｖｅｎｔｓ、ＧＯＯＳＥ）メッセージを分析することにより、プロセスレベル装置に対する測定、制御及び保護を実現する。
【０００４】
従来技術では、変電所は、高圧線路部分、主トランス部分及び中圧側部分に分けられ、各部分がさらに異なる装置ベイに分けられる。保護装置が機能ごとに分けられる装置ベイに応じて分類されるため、変電所は、ベイごとに複数タイプの保護装置を有する可能性があり、従って大量のメッセージが生じ、従来技術では、上記大量のメッセージのリアルタイムな送受信に対応できず、メッセージ伝送効率が低く、変電所の作動効率を損なう。
【発明の概要】
【発明が解決しようとする課題】
【０００５】
上記事情に鑑みて、本発明の実施例は、従来技術において大量のメッセージをリアルタイムに処理できず、メッセージ伝送効率が低いという技術的問題を解決するために、スマート変電所の保護制御システムに基づくデータ伝送方法を提供する。
【課題を解決するための手段】
【０００６】
本発明の実施例は、スマート変電所の保護制御システムに基づくデータ伝送方法を提供し、前記スマート変電所におけるすべてのベイのマージングユニット・インテリジェント端末一体化ユニットは、いずれもスマート電力サーバに直接接続され、各マージングユニット・インテリジェント端末一体化ユニットがいずれも組み込み式高帯域幅交換通信ネットワークを介して、前記スマート変電所のすべての測定制御機能、保護機能、交換機能及び遠隔操作機能を実現するための前記スマート電力サーバのフィールドプログラマブルゲートアレイ（Ｆｉｅｌｄ−Ｐｒｏｇｒａｍｍａｂｌｅ  Ｇａｔｅ  Ａｒｒａｙ、ＦＰＧＡ）アクセスチップの１つのみの伝送ポートに、１対１対応するように接続される。
前記方法は、前記スマート電力サーバのリアルタイムタスク用中央プロセッサの受信周期内に、前記リアルタイムタスク用中央プロセッサが、前記ＦＰＧＡアクセスチップの各受信バッファから、各前記マージングユニット・インテリジェント端末一体化ユニットから送信されたＳＶ値メッセージ又はＧＯＯＳＥメッセージを読み取り、前記ＳＶ値メッセージ又はＧＯＯＳＥメッセージが、前記ＦＰＧＡアクセスチップによって、前記受信バッファに１対１対応する各前記伝送ポートから受信され且つＳＶ値処理又はＧＯＯＳＥ処理されてから、受信バッファエリアの対応する受信バッファに書き込まれることと、
前記リアルタイムタスク用中央プロセッサの送信周期内に、前記リアルタイムタスク用中央プロセッサが測定制御過程及び／又は保護過程で生じた指示情報を前記ＦＰＧＡアクセスチップに送信し、前記ＦＰＧＡアクセスチップが前記指示情報に基づきＧＯＯＳＥメッセージを生成して前記ＦＰＧＡアクセスチップの送信バッファエリアに書き込むことと、を含む。
【発明の効果】
【０００７】
本発明の実施例に係るスマート変電所の保護制御システムに基づくデータ伝送方法では、スマート変電所におけるすべてのベイのマージングユニット・インテリジェント端末一体化ユニットが、いずれもスマート電力サーバのＦＰＧＡアクセスチップの対応する伝送ポートに接続され、受信周期内に、ＦＰＧＡアクセスチップの各受信バッファからメッセージを読み取り、メッセージを処理して受信バッファに書き込み、送信周期内に、リアルタイムタスク用中央プロセッサが指示情報をＦＰＧＡアクセスチップに送信し、前記ＦＰＧＡアクセスチップが指示情報に基づきメッセージを生成して送信バッファエリアに書き込む。上記技術的解決手段によれば、ＦＰＧＡアクセスチップに複数の高速伝送ポートが存在するため、メッセージのリアルタイム送受信を確保でき、メッセージ伝送効率を高め、スマート変電所のデータ伝送効率を高める。
【０００８】
本発明の例示的な実施例に係る技術的解決手段をより明確に説明するために、以下、実施例の説明に使用される図面を簡単に説明する。勿論、説明される図面は本発明の一部の実施例の図面であり、すべての図面ではない。当業者は、創造的な努力をせずに、これらの図面に基づきほかの図面を得ることができる。
【図面の簡単な説明】
【０００９】
【図１】図１は本発明の実施例１に係るスマート変電所の構造模式図である。
【図２】図２は本発明の実施例１に係るスマート変電所の保護制御システムに基づくデータ伝送方法のフローチャートである。
【図３】図３は本発明の実施例２に係るスマート変電所の保護制御システムに基づくデータ伝送方法のフローチャートである。
【発明を実施するための形態】
【００１０】
以下、図面及び実施例を参照して本発明を更に詳細に説明する。ここで説明される具体的な実施例は本発明を説明するためのものであり、本発明を限定するものではないと理解できる。なお、説明の便宜上、図面は、全内容ではなく、本発明に関連する部分のみを示している。
【００１１】
例示的な実施例の詳細な検討では、いくつかの例示的な実施例はフローチャートに作成される処理又は方法として説明される。フローチャートは各操作（又はこと）が順に実行される処理として説明されるが、そのうち多くの操作が並行して又は同時に実施されてもよい。また、各操作の順序を変更してもよい。その操作が完了すると、前記処理を終了してもよく、さらに図面に含まれていないことを有してもよい。前記処理は方法、関数、プロシージャ、サブルーチン、サブプログラム等に対応できる。
本発明の実施例に係るマージングユニット・インテリジェント端末一体化ユニットは、マージングユニットとインテリジェント端末を１つの装置に集積したものである。ここで、インテリジェント端末は、インテリジェントエレメントであって、ケーブルを介して一次装置に接続されるとともに、光ファイバーを介して保護や測定制御装置などの二次装置に接続され、一次装置（例えば、遮断器、ナイフスイッチ、主トランスなど）の測定や制御を実行するものである。機能として、上記インテリジェント端末は、回路保護のためにトリップ制御の命令を受けてトリップする機能と、測定制御装置からスイッチのオン・オフ命令を受けてスイッチをオン・オフする機能と、ナイフスイッチの位置に係る信号をアッ
プロードする機能と、温度・湿度に係るデータを収集してアップロードする機能と、を含む様々な機能を実現できる。
【００１２】
実施例１
図１は本発明の実施例１に係るスマート変電所の構造模式図であり、図２は本発明の実施例１に係るスマート変電所の保護制御システムに基づくデータ伝送方法のフローチャートであり、本発明の実施例に係るスマート変電所の保護制御システムに基づくデータ伝送方法は、図１に示されるスマート変電所システムに適用できる。図１に示すように、該スマート変電所は、スマート電力サーバ１０、マージングユニット・インテリジェント端末一体化ユニット２０及びベイ３０を備えてもよい。
【００１３】
スマート変電所におけるすべてのベイ３０のマージングユニット・インテリジェント端末一体化ユニット２０は、いずれもスマート電力サーバ１０に直接接続される。本発明では、各マージングユニット・インテリジェント端末一体化ユニット２０は、いずれも１本の物理リンクのみを介してスマート電力サーバのＦＰＧＡアクセスチップ１０１の１つのみの伝送ポートに接続され、スマート電力サーバ１０は、マージングユニット・インテリジェント端末一体化ユニットに接続された一次装置に対するすべての保護及び測定制御を実現する。
【００１４】
ここで、スマート変電所におけるすべてのベイのマージングユニット・インテリジェント端末一体化ユニット２０は、いずれもスマート電力サーバ１０に直接接続され、各マージングユニット・インテリジェント端末一体化ユニット２０は、いずれも組み込み式高帯域幅交換通信ネットワークを介して、スマート電力サーバ１０における１つのみの伝送ポートに接続される。スマート電力サーバは、各マージングユニット・インテリジェント端末一体化ユニットがいずれも組み込み式高帯域幅交換通信ネットワークを介してスマート電力サーバにおける１つのみの伝送ポートに接続されることにより、プロセスレベルデータをリアルタイムに収集し、収集したプロセスレベルデータにリアルタイムデータ処理を行い、マージングユニット・インテリジェント端末一体化ユニットに接続された一次装置に対するすべての保護及び測定制御を実現する。具体的には、組み込み式高帯域幅交換通信ネットワークは、コントローラエリアネットワーク（Ｃｏｎｔｒｏｌｌｅｒ  Ａｒｅａ
Ｎｅｔｗｏｒｋ、ＣＡＮ）バス、フィールドネットワークプロトコル（Ｉｎｔｅｒｎｅｔ  Ｐｒｏｔｏｃｏｌ、ＩＰ）バス、Ｍｏｄｂｕｓバス、プロセスフィールドバス（Ｐｒｏｃｅｓｓ  Ｆｉｅｌｄ  Ｂｕｓ、Ｐｒｏｆｉｂｕｓ）、ハイウェイアドレス可能遠隔トランスデューサ（Ｈｉｇｈｗａｙ  Ａｄｄｒｅｓｓａｂｌｅ  Ｒｅｍｏｔｅ  Ｔｒａｎｓｄｕｃｅｒ、ＨＡＲＴ）バス、ＦＦフィールドバス又は光ファイバーであってもよい。
【００１５】
例示的には、各マージングユニット・インテリジェント端末一体化ユニット２０は、いずれも１本の物理リンクのみを介してスマート電力サーバ１０における１つのみの伝送ポートに接続される。具体的には、各マージングユニット・インテリジェント端末一体化ユニットは、いずれも一対の光ファイバーのみを介して前記スマート電力サーバにおける１つのみの伝送ポートに接続される。スマート電力サーバにおける１つの伝送ポートは、１つの受信ポートと１つの送信ポートを含み、マージングユニット・インテリジェント端末一体化ユニットは、１つの光ファイバーを介してスマート電力サーバにおける１つの伝送ポートの受信ポートに接続され、別の光ファイバーを介してスマート電力サーバの該伝送ポートの送信ポートに接続される。スマート電力サーバは、１本の物理リンクのみを介してプロセスレベルデータをリアルタイムに収集し、たとえば、マージングユニット・インテリジェント端末一体化ユニットから送信されたＳＶメッセージとＧＯＯＳＥメッセージを収集し、リアルタイムに収集したプロセスレベルデータにリアルタイム処理を行い、前記マージングユニット・インテリジェント端末一体化ユニットに接続された一次装置に対するすべての保護及び測定制御を実現する。
【００１６】
従来の変電所では、１つのマージングユニット・インテリジェント端末一体化ユニットは、複数の異なる物理装置に接続される必要があり、異なる物理装置によってそれぞれマージングユニット・インテリジェント端末一体化ユニットに接続された一次装置に対する測定制御及び保護を実現する。
【００１７】
スマート電力サーバ１０は、ＦＰＧＡアクセスチップ１０１を備えてもよく、ＦＰＧＡアクセスチップ１０１は、マージングユニット・インテリジェント端末一体化ユニット２０に接続するための１６個の高速伝送ポート、たとえば１００Ｍイーサネットポートを外部に提供することができる。ＦＰＧＡアクセスチップ１０１は、複数の受信バッファが含まれる受信バッファエリアと複数の送信バッファが含まれる送信バッファエリアとをさらに含んでもよく、各伝送ポートは１つの受信バッファ／送信バッファに対応し、ベイ３０は主トランスベイ、線路ベイ及びバスベイ、たとえば、１１０ＫＶ主トランスベイ、３５ＫＶ主トランスベイ、１０ＫＶ主トランスベイ及び１１０ＫＶＰＴベイを含んでもよく、各ベイ３０は少なくとも１つのマージングユニット・インテリジェント端末一体化ユニット２０を含む。
【００１８】
各マージングユニット・インテリジェント端末一体化ユニット２０は、いずれも１本の物理リンクのみを介してスマート電力サーバのＦＰＧＡアクセスチップ１０１の１つのみの伝送ポートに接続され、スマート電力サーバのＦＰＧＡアクセスチップ１０１の各伝送ポートに１つのみのマージングユニット・インテリジェント端末一体化ユニットが接続され、つまり、マージングユニット・インテリジェント端末一体化ユニット２０はＦＰＧＡアクセスチップ１０１の伝送ポートに１対１対応する。各伝送ポートが１つの受信バッファ／送信バッファに対応するため、各マージングユニット・インテリジェント端末一体化ユニット２０は１つの受信バッファ／送信バッファに対応する。スマート電力サーバ１０はスマート変電所のすべての測定制御機能、保護機能、交換機能及び遠隔操作機能を実現できる。
【００１９】
図２に示すように、スマート変電所の保護制御システムに基づくデータ伝送方法は以下のステップを含んでもよい。
【００２０】
Ｓ２１０において、前記スマート電力サーバのリアルタイムタスク用中央プロセッサの受信周期内に、前記リアルタイムタスク用中央プロセッサが前記ＦＰＧＡアクセスチップの各受信バッファから、各前記マージングユニット・インテリジェント端末一体化ユニットから送信されたＳＶ値メッセージ又はＧＯＯＳＥメッセージを読み取り、前記ＳＶ値メッセージ又はＧＯＯＳＥメッセージが、前記ＦＰＧＡアクセスチップによって、前記受信バッファに１対１対応する各前記伝送ポートから受信され且つＳＶ値処理又はＧＯＯＳＥ処理されてから、受信バッファエリアの対応する受信バッファに書き込まれる。
【００２１】
例示的には、スマート電力サーバ１０は、リアルタイムタスク用中央プロセッサ（Ｃｅｎｔｒａｌ  Ｐｒｏｃｅｓｓｉｎｇ  Ｕｎｉｔ、ＣＰＵ）を備えてもよく、前記リアルタイムタスク用ＣＰＵは、スマート電力サーバ１０のリアルタイムタスク用、たとえばメッセージの伝送タスクに用いられる。また、リアルタイムタスク用ＣＰＵによるメッセージの伝送タスクは、受信周期及び送信周期を含んでもよい。
【００２２】
ＦＰＧＡは、受信バッファエリアを複数の受信バッファに分割し、ＦＰＧＡの各イーサネットポートは１つの受信バッファに対応し、つまり、１つのマージングユニット・インテリジェント端末一体化ユニット２０は１つの受信バッファに対応する。ＦＰＧＡは各イーサネットポートのメッセージ受信をリアルタイムに検出し、いずれかの伝送ポートにメッセージが送信されると、ＦＰＧＡアクセスチップ１０１は伝送ポートからメッセージを
受信し、ＳＶ値処理又はＧＯＯＳＥ処理して受信バッファエリアの対応する受信バッファに書き込む。
【００２３】
受信周期内に、リアルタイムタスク用ＣＰＵは、ＦＰＧＡアクセスチップ１０１の各受信バッファから、各マージングユニット・インテリジェント端末一体化ユニット２０から送信されたＳＶメッセージ又はＧＯＯＳＥメッセージを読み取る。
【００２４】
Ｓ２２０において、前記リアルタイムタスク用ＣＰＵの送信周期内に、前記リアルタイムタスク用ＣＰＵが測定制御過程及び／又は保護過程で生じた指示情報をＦＰＧＡアクセスチップに送信し、前記ＦＰＧＡアクセスチップが前記指示情報に基づきＧＯＯＳＥメッセージを生成して前記ＦＰＧＡアクセスチップの送信バッファエリアに書き込む。
【００２５】
例示的には、スマート電力サーバ１０は、測定制御機能及び保護機能を実現できるため、スマート電力サーバ１０のリアルタイムタスク用ＣＰＵは測定制御過程及び／又は保護過程で、一次装置に対する指示情報を生成し、従って、送信周期内に、リアルタイムタスク用ＣＰＵはこれら指示情報をＦＰＧＡアクセスチップ１０１に送信し、ＦＰＧＡアクセスチップ１０１は処理情報に基づきＧＯＯＳＥメッセージを生成し、生成したＧＯＯＳＥメッセージをＦＰＧＡアクセスチップ１０１の送信バッファエリアに書き込む。
【００２６】
また、前記リアルタイムタスク用ＣＰＵの受信周期長さを送信周期長さより大きくしてもよい。
【００２７】
なお、リアルタイムタスク用ＣＰＵは、受信周期内に、ＦＰＧＡアクセスチップ１０１の受信バッファエリアからＳＶメッセージ又はＧＯＯＳＥメッセージを読み取り、すなわち受信周期内に、リアルタイムタスク用ＣＰＵはＦＰＧＡアクセスチップ１０１の受信バッファエリアを定刻に問い合わせる。送信周期内に、スマート電力サーバ１０がマージングユニット・インテリジェント端末一体化ユニット２０に送信したＧＯＯＳＥメッセージをＦＰＧＡアクセスチップ１０１の送信バッファエリアに書き込む。プロセスレベル装置から受信したメッセージトラフィックは、プロセスレベル装置に送信するメッセージトラフィックより大きく、それにより、プロセスレベル装置のメッセージを優先的に受信し、受信遅延を短縮させ、従って、受信周期長さを送信周期長さより大きくして、受信周期内に、すべてのメッセージを受信し、短い受信周期に起因する不十分なメッセージ受信による情報損失を回避する。
【００２８】
ＦＰＧＡアクセスチップ１０１は、各イーサネットポートのメッセージをリアルタイムに検出し、いずれかのイーサネットポートにメッセージが送信されると、メッセージをローカル受信バッファエリアに読み込み、受信バッファの総メッセージ数をインクリメントし、その後、リアルタイムタスク用ＣＰＵが該受信バッファから１つのメッセージを読み取った後、ＦＰＧＡアクセスチップ１０１が該受信バッファの総メッセージ数をデクリメントする。受信周期内に、ＦＰＧＡアクセスチップ１０１は、リアルタイムタスク用ＣＰＵに各受信バッファの総メッセージ数をリアルタイムに報告するとともに、送信バッファエリアが空であるか否かをリアルタイムに検出し、空ではないと、ＧＯＯＳＥメッセージの宛先アドレスに基づき、ＧＯＯＳＥメッセージを対応したイーサネットポートに書き込み、且つ送信命令を書き込む。すべてのイーサネットポートが同時に動作し、１回で複数のイーサネットポートにメッセージを書き込むことができる。
【００２９】
本発明の実施例１に係るスマート変電所の保護制御システムに基づくデータ伝送方法では、スマート変電所におけるすべてのベイのマージングユニット・インテリジェント端末一体化ユニットは、いずれもスマート電力サーバのＦＰＧＡアクセスチップの対応する伝送ポートに接続されるとともに、マージングユニット・インテリジェント端末一体化ユニ
ットが伝送ポートに１対１対応する。受信周期内に、リアルタイムタスク用ＣＰＵは、ＦＰＧＡアクセスチップの各受信バッファからメッセージを読み取り、メッセージに対応した処理を行って受信バッファに書き込る。送信周期に、リアルタイムタスク用ＣＰＵは、測定制御及び／又は保護過程で生じた指示情報をＦＰＧＡアクセスチップに送信し、前記ＦＰＧＡチップが指示情報に基づきＧＯＯＳＥメッセージを生成して送信バッファエリアに書き込む。リアルタイムタスク用ＣＰＵは、ＦＰＧＡアクセスチップの受信バッファエリア／送信バッファエリアによってメッセージの受信／送信を実現し、リアルタイムタスク用ＣＰＵの過度負荷によりメッセージのリアルタイム送受信を損なうことを回避し、ＦＰＧＡアクセスチップは伝送ポートから受信対象メッセージを読み取るとともに、送信バッファエリアのメッセージの送信を並行制御でき、それによって、メッセージ送受信の遅延を大幅に短縮させ、リアルタイム性を向上させ、さらにＣＰＵの処理負荷を軽減させる。
【００３０】
実施例２
図３は本発明の実施例２に係るスマート変電所の保護制御システムに基づくデータ伝送方法であり、本実施例は上記実施例を最適化したものであり、具体的にはメッセージデータの送受信を最適化する。図３に示すように、本発明の実施例２に係るスマート変電所の保護制御システムに基づくデータ伝送方法は以下のステップを含んでもよい。
【００３１】
Ｓ３１０において、前記リアルタイムタスク用ＣＰＵは、各前記受信バッファの総メッセージ数の降順で、各前記受信バッファからメッセージを読み取る。
【００３２】
例示的には、各受信バッファに記憶された総メッセージ数が異なるため、バッファメッセージ量が多い受信バッファと、バッファメッセージ量が少ない受信バッファとが存在し、リアルタイムタスク用ＣＰＵは、受信バッファエリアの各受信バッファに緩衝記憶した総メッセージ数の降順で、各受信バッファからメッセージを読み取り、総メッセージ数が最も大きい受信バッファからメッセージを優先的に読み取る。また、リアルタイムタスク用ＣＰＵは、１つの受信バッファからメッセージを読み取った後、現在の総メッセージ数が最も大きい受信バッファからメッセージを読み取るようにしてもよい。受信周期内に、ＦＰＧＡアクセスチップ１０１がリアルタイムタスク用ＣＰＵに各受信バッファの総メッセージ数を報告することにより、リアルタイムタスク用ＣＰＵは、各受信バッファの総メッセージ数をリアルタイムに把握し、更に総メッセージ数の降順で各受信バッファに緩衝記憶したメッセージを受信することを確保する。リアルタイムタスク用ＣＰＵの受信戦略は、ＦＰＧＡアクセスチップ１０１においてスライスメッセージが多すぎる受信バッファ、メッセージが少なすぎる受信バッファを回避し、一部の受信バッファが記憶量が多くて満容量になり、新たなメッセージを記憶できない現象を回避する。
【００３３】
Ｓ３２０において、リアルタイムタスク用中央プロセッサが測定制御過程及び／又は保護過程で生じた指示情報に基づきＧＯＯＳＥメッセージを生成し、ＦＰＧＡアクセスチップ１０１がＧＯＯＳＥメッセージ中の宛先ＭＡＣアドレスに基づき対応した送信バッファに書き込む。宛先ＭＡＣアドレスは、マージングユニット・インテリジェント端末一体化ユニット２０のＭＡＣアドレスである。
【００３４】
例示的には、ＦＰＧＡアクセスチップ１０１の送信バッファエリアは、ＦＰＧＡアクセスチップ１０１のイーサネットポートに１対１対応する複数の送信バッファを含む。また、ＦＰＧＡアクセスチップ１０１はＧＯＯＳＥメッセージの宛先メディアアクセス制御（Ｍｅｄｉａ  Ａｃｃｅｓｓ  Ｃｏｎｔｒｏｌ、ＭＡＣ）アドレスに基づき対応した送信バッファに書き込み、ＦＰＧＡアクセスチップ１０１の各伝送ポートが１つの送信バッファに対応し、各伝送ポートが１つのマージングユニット・インテリジェント端末一体化ユニットに対応するため、メッセージ送信過程で、送信バッファにおけるメッセージを対応し
たイーサネットポートに書き込むと、メッセージは伝送ポートにより対応したマージングユニット・インテリジェント端末一体化ユニットに直接送信する。
【００３５】
本発明の実施例に係るスマート変電所の保護制御システムに基づくデータ伝送方法は、メッセージデータの受信周期内に、受信バッファの総メッセージ数の降順で、各受信バッファからメッセージを読み取り、それにより一部の受信バッファは記憶量が多くて満容量になり、新たなメッセージを記憶できない現象を回避する。メッセージデータの送信周期内に、ＦＰＧＡアクセスチップはＧＯＯＳＥメッセージ中の宛先ＭＡＣアドレスに基づき対応した送信バッファを書き込み、それによって、ＧＯＯＳＥメッセージを対応した送信バッファに書き込むことができ、メッセージの書込み効率を高める。以上のように、上記技術的解決手段によれば、受信周期内においても送信周期内においてもメッセージの処理効率を高め、スマート変電所全体のデータ伝送効率を高め、スマート変電所の高効率運転を確保する。
【００３６】
実施例３
本発明の実施例３は、スマート変電所の保護制御システムに基づくデータ伝送方法を提供する。本実施例は、上記実施例を最適化したものであり、具体的には、リアルタイムタスク用ＣＰＵによるメッセージの読み取りを最適化する。同様に、図２に示されるように、本発明の実施例３に係るスマート変電所の保護制御システムに基づくデータ伝送方法は、以下のステップを含んでもよい。
【００３７】
リアルタイムタスク用ＣＰＵは、ＦＰＧＡアクセスチップ１０１から送信された通知メッセージを受信すると、現在のタスクを中断して、第一所定閾値を超えた受信バッファからＧＯＯＳＥメッセージを読み取るステップ。
ＦＰＧＡは、各前記受信バッファに書き込まれたＧＯＯＳＥメッセージ数を検出し、前記受信バッファに書き込まれたＧＯＯＳＥメッセージ数が前記第一所定閾値を超えたことが検出されると、前記受信バッファにおけるＧＯＯＳＥメッセージ数が前記第一所定閾値を超えたことを通知するための通知メッセージを送信するステップ。
【００３８】
例示的には、通常では、マージングユニット・インテリジェント端末一体化ユニット２０側において、ＧＯＯＳＥメッセージが数ミリ秒置きに再伝送されるので、生じたＧＯＯＳＥメッセージ数が小さく、故障時、複数のスイッチ信号量が変位して、巨大なデータトラフィックが発生する可能性がある。マージングユニット・インテリジェント端末一体化ユニット２０が大量のＧＯＯＳＥメッセージを送信すると、上記マージングユニット・インテリジェント端末一体化ユニット２０に対応したベイが故障したことがわかり、スマート電力サーバ１０がすぐに対処すべき故障にすぐに対処するために、ＦＰＧＡアクセスチップ１０１は、伝送ポートからメッセージを読み取る時に、メッセージタイプを識別し、ＧＯＯＳＥメッセージであると、対応した受信バッファのＧＯＯＳＥメッセージ数をインクリメントする。ＦＰＧＡアクセスチップ１０１は、各前記受信バッファに書き込まれたＧＯＯＳＥメッセージ数を検出し、前記受信バッファに書き込まれたＧＯＯＳＥメッセージ数が前記第一所定閾値を超えたことが検出されると、リアルタイムタスク用ＣＰＵに通知メッセージを送信し、受信バッファにおけるＧＯＯＳＥメッセージ数が前記第一所定閾値を超えたことを通知する。
【００３９】
また、前記第一所定閾値は、実際の操作中、マージングユニット・インテリジェント端末一体化ユニット２０側に故障が発生する時に生じた実際のＧＯＯＳＥメッセージの数に基づき予め設定されてもよく、たとえば、送信故障時に生じた実際のＧＯＯＳＥメッセージ数の平均値であってもよい。ＦＰＧＡアクセスチップ１０１はある受信バッファのＧＯＯＳＥメッセージ数が急に増加して第一所定閾値を超えたことが検出されると、リアルタイムタスク用ＣＰＵに該受信バッファからＧＯＯＳＥメッセージを優先的に読み取ること
を能動的に通知する。リアルタイムタスク用ＣＰＵは、ＦＰＧＡアクセスチップ１０１の通知を受信すると、現在のタスクを中断して、該受信バッファからＧＯＯＳＥメッセージを優先的に読み取り、その後、中断されたタスクを継続する。
【００４０】
更に、リアルタイムタスク用ＣＰＵがＧＯＯＳＥメッセージを読み取ることによって受信バッファにおけるＧＯＯＳＥメッセージ数を第一所定閾値より低くさせると、中断された現在のタスクが再開される。
【００４１】
例示的には、リアルタイムタスク用ＣＰＵは、ＦＰＧＡアクセスチップ１０１からの通知を受信すると、現在実行しているタスクを中断し、ＧＯＯＳＥメッセージ数が第一所定閾値を超えた受信バッファからＧＯＯＳＥメッセージを優先的に読み取り、ＧＯＯＳＥメッセージを読み取るごとに、ＦＰＧＡアクセスチップ１０１は対応した受信バッファ内においてＧＯＯＳＥメッセージ数をデクリメントし、現在の受信バッファにおけるＧＯＯＳＥメッセージ数をリアルタイムに報告する。リアルタイムタスク用ＣＰＵがＧＯＯＳＥメッセージを読み取ることによって受信バッファにおけるＧＯＯＳＥメッセージ数を第一所定閾値より低くさせると、該受信バッファにおけるＧＯＯＳＥメッセージ数が正常値になり、リアルタイムタスク用ＣＰＵが該受信バッファからＧＯＯＳＥメッセージを優先的に読み取る必要がなくなり、この時、リアルタイムタスク用ＣＰＵは中断された現在のタスクを再開する。
【００４２】
更に、リアルタイムタスク用ＣＰＵがＧＯＯＳＥメッセージを読み取ることによって、前記受信バッファにおけるＧＯＯＳＥメッセージ数が前記第一所定閾値より低い第二所定閾値よりも低くなると、中断された前記現在のタスクが再開される。
【００４３】
例示的には、リアルタイムタスク用ＣＰＵがＧＯＯＳＥメッセージを読み取ることによって受信バッファにおけるＧＯＯＳＥメッセージ数を第一所定閾値より低くさせると、該受信バッファにおけるＧＯＯＳＥメッセージ数が正常値になるが、ＧＯＯＳＥメッセージ数が大きく、且つマージングユニット・インテリジェント端末一体化ユニット２０側が故障するため、短時間内に大量のＧＯＯＳＥメッセージが該受信バッファに記憶され、リアルタイムタスク用ＣＰＵが現在のタスクを再び中断する可能性があり、従って、リアルタイムタスク用ＣＰＵがＧＯＯＳＥメッセージを読み取ることによって前記受信バッファにおけるＧＯＯＳＥメッセージ数を第二所定閾値より低くさせると、中断された前記現在のタスクが再開されるように設定してもよい。なお、前記第二所定閾値は第一所定閾値より低く、リアルタイムタスク用ＣＰＵがＧＯＯＳＥメッセージを読み取ることによって前記受信バッファにおけるＧＯＯＳＥメッセージ数を第二所定閾値より低くさせると、中断された前記現在のタスクが再開されるように設定することで、リアルタイムタスク用ＣＰＵが該受信バッファにおけるＧＯＯＳＥメッセージをより多く読み取り、該受信バッファに残存するＧＯＯＳＥメッセージ数が小さくなり、マージングユニット・インテリジェント端末一体化ユニット２０側の故障のため短時間内に大量のＧＯＯＳＥメッセージが発生するという問題に対応できる。
【００４４】
上記技術的解決手段によれば、故障によって大量のＧＯＯＳＥメッセージが発生すると、メッセージ数が第一所定閾値を超えた受信バッファにおけるＧＯＯＳＥメッセージを優先的に処理することにより、ＧＯＯＳＥメッセージをタイムリーに処理して、受信バッファの正常使用を確保し、更にこのデータ伝送のスムーズさを確保することができる。
【００４５】
実施例４
本発明の実施例４は、スマート変電所の保護制御システムに基づくデータ伝送方法を提供する。本実施例は上記実施例を最適化したものであり、具体的には非リアルタイムタスク用ＣＰＵの動作プロセスを説明する。同様に、図２に示されるように、本発明の実施例
４に係るスマート変電所の保護制御システムに基づくデータ伝送方法は以下のステップを含んでもよい。
【００４６】
非リアルタイムタスク用ＣＰＵは、リアルタイムタスク用ＣＰＵが測定制御過程及び／又は保護過程で生じたレポート情報を収集し、前記レポート情報中の前記マージングユニット・インテリジェント端末一体化ユニットのＭＡＣアドレスを前記マージングユニット・インテリジェント端末一体化ユニットのＩＰアドレスに変換し、前記スマート電力サーバのスイッチモジュールにより前記処理情報をステーションレベル装置に送信するステップ。
前記レポート情報は、動作レポート等の情報であってもよい。
【００４７】
例示的には、リアルタイムタスク用ＣＰＵは、測定制御過程及び／又は保護過程で測定制御情報及び／又は保護情報を含むレポート情報を生成し、前記レポート情報中のマージングユニット・インテリジェント端末一体化ユニット２０のＭＡＣアドレスをマージングユニット・インテリジェント端末一体化ユニット２０のＩＰアドレスに変換し、スマート電力サーバ１０のスイッチモジュールにより前記レポート情報をステーションレベル装置に送信する。また、ステーションレベル装置は、オペレータワークステーション又は監視ホストコンピュータを含んでもよく、スマート電力サーバ１０は、内蔵するスイッチモジュールによりステーションレベル装置に接続される。具体的には、ステーションレベル装置は、マージングユニット・インテリジェント端末一体化ユニット２０のＩＰアドレスを識別でき、スマート電力サーバ１０は、マージングユニット・インテリジェント端末一体化ユニット２０のＭＡＣアドレスを識別することにより、マージングユニット・インテリジェント端末一体化ユニット２０の測定制御情報及び保護情報を収集するため、スマート電力サーバ１０は接続されたマージングユニット・インテリジェント端末一体化ユニット２０に一意的なＩＰアドレスを割り当て、マージングユニット・インテリジェント端末一体化ユニット２０のＭＡＣアドレスとＩＰアドレスのマッピング関係を記憶し、ＭＡＣアドレスとＩＰアドレスのマッピングテーブルを形成し、前記マッピング関係に基づき、測定制御情報と保護情報中のＭＡＣアドレスを対応したＩＰアドレスに置換し、ＩＰアドレスが載せられた測定制御情報と収集保護情報を、スイッチモジュールによりステーションレベル装置に伝送し、それによりステーションレベル装置が測定制御情報及び保護情報等の処理情報のソースアドレスを確認する。
【００４８】
また、非リアルタイムタスク用ＣＰＵは、リアルタイムタスク用ＣＰＵが測定制御過程及び／又は保護過程で生じたレポート情報を収集し、ＭＭＳメッセージを生成し、スマート電力サーバ１０のスイッチモジュールによりメッセージをステーションレベル装置に送信するようにしてもよい。
【００４９】
具体的には、リアルタイムタスク用ＣＰＵは、マージングユニット・インテリジェント端末一体化ユニット２０からのメッセージに基づき測定制御過程及び／又は保護過程でレポート情報を生成し、レポート情報に該マージングユニット・インテリジェント端末一体化ユニット２０のＭＡＣアドレスを追加する。非リアルタイムタスク用ＣＰＵは、遠隔操作機能を実現する時、測定制御過程及び／又は保護過程で生じたレポート情報を収集し、マージングユニット・インテリジェント端末一体化ユニット２０のＭＡＣアドレスをＩＰアドレスに変換してＭＭＳメッセージに載せて、ステーションレベル装置に送信し、それによりステーションレベル装置はマージングユニット・インテリジェント端末一体化ユニット２０のＩＰアドレスに基づきマージングユニット・インテリジェント端末一体化ユニット２０を管理することができる。例えば、制御操作が終了するごとに、スマート電力サーバ１０は、ステーションレベル装置に今回の操作結果、例えば制御操作終了レポートをメッセージとして送信して通知する。スマート電力サーバ１０は、ＧＯＯＳＥメッセージを処理した後、カスケード差動動作のような動作の信号レポートを送信する。
【００５０】
上記技術的解決手段によれば、非リアルタイムタスク用ＣＰＵはレポート情報中のマージングユニット・インテリジェント端末一体化ユニットユニットのＭＡＣアドレスをＩＰアドレスに変換することにより、ステーションレベル装置によるマージングユニット・インテリジェント端末一体化ユニットユニットの管理を確保する。スマート電力サーバはＭＡＣアドレスをＩＰアドレスに変換することにより、スマート変電所に接続されたマージングユニット・インテリジェント端末一体化ユニットに一意的なＩＰアドレスを割り当て、変電所のクラウド制御及びクラウドサービスを実現することができ、エネルギービッグデータとエネルギーインターネットの発展に技術的基礎を築く。
【００５１】
また、前記データ伝送方法は、さらに以下のステップを含んでもよい。
非リアルタイムタスク用ＣＰＵは、スマート電力サーバ１０のスイッチモジュールによりステーションレベル装置から送信された遠隔制御指令を受信すること。
非リアルタイムタスク用ＣＰＵは、前記遠隔制御指令を処理して変換した後、ＦＰＧＡアクセスチップ１０１によりマージングユニット・インテリジェント端末一体化ユニット２０に送信するステップ。
例示的には、非リアルタイムタスク用ＣＰＵは、さらに、スマート電力サーバ１０におけるスイッチモジュールによって、ステーションレベル装置から送信された、マージングユニット・インテリジェント端末一体化ユニット２０に対する遠隔制御指令を受信することに用いられてもよい。そして、非リアルタイムタスク用ＣＰＵは、前記遠隔制御指令を処理して変換した後、スマート電力サーバ１０のＦＰＧＡアクセスチップ１０１によってマージングユニット・インテリジェント端末一体化ユニット２０に送信し、これによってステーションレベル装置によるマージングユニット・インテリジェント端末一体化ユニット２０に対する遠隔制御を確保し、スマート電力サーバの遠隔操作機能を実現する。
【００５２】
また、前記データ伝送方法は、さらに以下のステップを含んでもよい。
ＦＰＧＡアクセスチップ１０１は、各マージングユニット・インテリジェント端末一体化ユニット２０から受信したＳＶメッセージ又はＧＯＯＳＥメッセージをスマート電力サーバ１０のスイッチモジュールによりネットワークアナライザに転送するステップ。
例示的には、ネットワークアナライザとスマート電力サーバ１０は、スマート変電所内に別々に設置され、ＦＰＧＡアクセスチップ１０１は、各マージングユニット・インテリジェント端末一体化ユニット２０から受信したＳＶメッセージ又はＧＯＯＳＥメッセージをスマート電力サーバ１０のスイッチモジュールによりネットワークアナライザに転送し、それによりスマート変電所のネットワーク分析機能を実現する。  
【００５３】
また、前記データ伝送方法は、さらに以下のステップを含んでもよい。
ＦＰＧＡアクセスチップ１０１は、各マージングユニット・インテリジェント端末一体化ユニット２０から受信したＳＶメッセージ又はＧＯＯＳＥメッセージをスマート電力サーバ１０のスイッチモジュールにより事故記録装置に転送するステップ。
例示的には、事故記録装置とスマート電力サーバ１０は、スマート変電所内に別々に設置され、ＦＰＧＡアクセスチップ１０１は、各マージングユニット・インテリジェント端末一体化ユニット２０かた受信したＳＶメッセージ又はＧＯＯＳＥメッセージをスマート電力サーバ１０のスイッチモジュールにより事故記録装置に転送し、それによりスマート変電所の故障レコーディング機能を実現する。
【００５４】
なお、以上、本発明の好ましい実施例及びその技術的原理のみを説明した。当業者であれば、本発明は上記特定実施例に限定されるものではなく、本発明の保護範囲を逸脱せずに、各種の明らかな変更、変形や置換を行うことができると理解できる。従って、上記実施例を参照して本発明を詳細に説明したが、本発明は上記実施例に限定されるものではなく、本発明の発想を逸脱せずに、より多くの等価実施例を含んでもよく、本発明の範囲は
添付される特許請求の範囲に決められる。
【図１】
2018057251.tif 000003
【図２】
2018057251.tif 000004
【図３】
2018057251.tif 000005
【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
スマート変電所の保護制御システムに基づくデータ伝送方法であって、
前記スマート変電所におけるすべてのベイのマージングユニット・インテリジェント端末一体化ユニットがいずれもスマート電力サーバに直接接続され、各前記マージングユニット・インテリジェント端末一体化ユニットがいずれも組み込み式高帯域幅交換通信ネットワークを介して、前記スマート変電所のすべての測定制御機能、保護機能、交換機能及び遠隔操作機能を実現するための前記スマート電力サーバのフィールドプログラマブルゲートアレイ（ＦＰＧＡ）アクセスチップの１つのみの伝送ポートに、１対１対応するように接続され、
前記スマート電力サーバのリアルタイムタスク用中央プロセッサの受信周期内に、前記リアルタイムタスク用中央プロセッサが、前記ＦＰＧＡアクセスチップの各受信バッファから、各前記マージングユニット・インテリジェント端末一体化ユニットから送信されたサンプル値（ＳＶ）メッセージ又は汎用オブジェクト指向変電所イベント（ＧＯＯＳＥ）メッセージを読み取り、前記ＳＶメッセージ又はＧＯＯＳＥメッセージが、前記ＦＰＧＡアクセスチップによって、前記受信バッファに１対１対応する各前記伝送ポートから受信され且つＳＶ処理又はＧＯＯＳＥ処理されてから、受信バッファエリアの対応する受信バッファに書き込まれることと、
前記リアルタイムタスク用中央プロセッサの送信周期内に、前記リアルタイムタスク用中央プロセッサが、測定制御過程及び／又は保護過程で生じた指示情報を前記ＦＰＧＡアクセスチップに送信し、前記ＦＰＧＡアクセスチップが前記指示情報に基づきＧＯＯＳＥメッセージを生成して前記ＦＰＧＡアクセスチップの送信バッファエリアに書き込むことと、を含む、
ことを特徴とするスマート変電所の保護制御システムに基づくデータ伝送方法。
【請求項２】
前記リアルタイムタスク用中央プロセッサが、前記ＦＰＧＡアクセスチップの各受信バッファから、各前記マージングユニット・インテリジェント端末一体化ユニットから送信されたＳＶメッセージ又はＧＯＯＳＥメッセージを読み取ることは、
前記リアルタイムタスク用中央プロセッサが各前記受信バッファの総メッセージ数の降順で、各前記受信バッファからメッセージを読み取ることを含み、
前記受信周期内に、前記ＦＰＧＡアクセスチップが前記リアルタイムタスク用中央プロセ
ッサに各前記受信バッファの総メッセージ数を報告する、
ことを特徴とする請求項１に記載のデータ伝送方法。
【請求項３】
前記リアルタイムタスク用中央プロセッサが、前記ＦＰＧＡアクセスチップの各受信バッファから、各前記マージングユニット・インテリジェント端末一体化ユニットから送信されたＳＶメッセージ又はＧＯＯＳＥメッセージを読み取ることは、
前記リアルタイムタスク用中央プロセッサが前記ＦＰＧＡアクセスチップから送信された通知メッセージを受信すると、現在のタスクを中断して、第一所定閾値を超えた受信バッファからＧＯＯＳＥメッセージを読み取ることをさらに含み、
前記通知メッセージは、前記ＦＰＧＡアクセスチップによって、前記受信バッファに書き込まれたＧＯＯＳＥメッセージ数が前記第一所定閾値を超えたことが検出されるときに送信され、前記受信バッファにおけるＧＯＯＳＥメッセージ数が前記第一所定閾値を超えたことを通知するために用いられる、
ことを特徴とする請求項２に記載のデータ伝送方法。
【請求項４】
前記リアルタイムタスク用中央プロセッサがＧＯＯＳＥメッセージを読み取ることによって前記受信バッファにおけるＧＯＯＳＥメッセージ数を第一所定閾値より低くさせると、中断された前記現在のタスクが再開され、又は、
前記リアルタイムタスク用中央プロセッサがＧＯＯＳＥメッセージを読み取ることによって前記受信バッファにおけるＧＯＯＳＥメッセージ数を前記第一所定閾値より低い第二所定閾値より低くさせると、中断された前記現在のタスクが再開される、
ことを特徴とする請求項３に記載のデータ伝送方法。
【請求項５】
前記ＦＰＧＡアクセスチップの送信バッファエリアは、前記伝送ポートに１対１対応する複数の送信バッファを含み、
前記ＦＰＧＡアクセスチップが前記指示情報に基づきＧＯＯＳＥメッセージを生成して前記ＦＰＧＡアクセスチップの送信バッファエリアに書き込むことは、
前記ＦＰＧＡアクセスチップが前記指示情報に基づきＧＯＯＳＥメッセージを生成し、前記ＧＯＯＳＥメッセージの宛先メディアアクセス制御（ＭＡＣ）アドレスに基づき、対応した前記送信バッファに書き込むことを含む、
ことを特徴とする請求項１に記載のデータ伝送方法。
【請求項６】
前記リアルタイムタスク用中央プロセッサの受信周期長さは、送信周期長さより大きい、ことを特徴とする請求項１に記載のデータ伝送方法。
【請求項７】
非リアルタイムタスク用中央プロセッサは、リアルタイムタスク用中央プロセッサが測定制御過程及び／又は保護過程で生じたレポート情報を収集し、前記レポート情報中の前記マージングユニット・インテリジェント端末一体化ユニットのＭＡＣアドレスを前記マージングユニット・インテリジェント端末一体化ユニットのネットワークプロトコル（ＩＰ）アドレスに変換し、前記スマート電力サーバのスイッチモジュールにより前記レポート情報をステーションレベル装置に送信することを含む、
ことを特徴とする請求項１に記載のデータ伝送方法。
【請求項８】
非リアルタイムタスク用中央プロセッサが前記スマート電力サーバのスイッチモジュールによりステーションレベル装置から送信された遠隔制御指令を受信することと、
前記非リアルタイムタスク用中央プロセッサが前記遠隔制御指令を処理して変換した後、前記ＦＰＧＡアクセスチップにより前記マージングユニット・インテリジェント端末一体化ユニットに送信することと、をさらに含む、
ことを特徴とする請求項１に記載のデータ伝送方法。
【請求項９】
前記ＦＰＧＡアクセスチップは、各前記マージングユニット・インテリジェント端末一体化ユニットから受信したＳＶメッセージ又はＧＯＯＳＥメッセージを前記スマート電力サーバのスイッチモジュールによりネットワークアナライザに転送することをさらに含む、
ことを特徴とする請求項１に記載のデータ伝送方法。
【請求項１０】
前記ＦＰＧＡアクセスチップは、各前記マージングユニット・インテリジェント端末一体化ユニットから受信したＳＶメッセージ又はＧＯＯＳＥメッセージを前記スマート電力サーバのスイッチモジュールにより事故記録装置に転送することをさらに含む、
ことを特徴とする請求項７、８又は９に記載のデータ伝送方法。